(57)【要約】      （修正有）【課題】建築物内通信システムを提供する。【解決手段】音声サーバー、複数のルーター、携帯電話端末を有する。音声サーバーは建築物の出入玄関ドア所在のフロアに設置され、出入玄関ドアのドアロックスイッチ３４に電気的に連接され、ドアロックスイッチ３４をコントロールする。複数のルーターは建築物の他の異なるフロアにそれぞれ設置され、音声サーバーはネットワーク通信モジュール３１１により、インターネット３２に連接し、複数のルーターはインターネット３２にそれぞれ連接される。訪問客が建築物に入り、その中の一フロアの住民を訪問しようとする際には、音声サーバーを用いてフロアの住民と連絡し、住民はフロアに設置したルーターに連接し、訪問客の身分を確認し、ルーター及び音声サーバーを経由し、建築物の出入玄関ドアを開き、こうして訪問客は建築物に入ることができる。【選択図】図３
0003210127.tif 000002
【実用新案登録請求の範囲】
【請求項１】
建築物内通信システムであって、音声サーバー、複数のルーター、少なくとも１個の携帯電話端末を有し、
前記音声サーバーは、前記建築物出入玄関ドア所在のフロアに設置され、前記出入玄関ドアのドアロックスイッチに電気的に連接され、前記ドアロックスイッチをコントロールし、
前記音声サーバーは、ネットワーク通信モジュールを有し、インターネットに連接し、
前記複数のルーターは、前記建築物の異なるフロアにそれぞれ設置され、前記インターネットにそれぞれ連接され、
前記少なくとも１個の携帯電話端末は、無線通信モジュール及びアプリケーションプログラムを有し、前記無線通信モジュールは、前記フロアに対応するルーターに連接し、
訪問客が、前記建築物に入り、その中の一フロアの住民を訪問しようとする際には、前記音声サーバーを用いて、前記フロアの住民と連絡し、前記住民は、前記携帯電話端末の無線通信モジュールを用いて、前記フロアに設置したルーターに連接し、前記アプリケーションプログラムを用いて前記訪問客の身分を確認し、前記アプリケーションプログラムを通して、前記ルーター及び前記音声サーバーを経由し、前記建築物の出入玄関ドアのドアロックスイッチを開き、こうして訪問客は前記建築物に入ることを特徴とする建築物内通信システム。
【請求項２】
前記音声サーバーは、公衆交換電話網に連接でき、
訪問客が、前記建築物に入り、その中の一フロアの住民を訪問しようとする際に、前記携帯電話端末の無線通信モジュールが、前記フロアに設置されるルーターに連接できない場合には、前記音声サーバーは、前記公衆交換電話網を通して、前記住民の携帯電話端末に連接し、前記住民は、前記携帯電話端末を用いて前記訪問客の身分を確認し、前記アプリケーションプログラムを通して、前記音声サーバーを経由し、前記建築物の出入玄関ドアのドアロックスイッチを開き、こうして訪問客は前記建築物に入ることを特徴とする請求項１に記載の建築物内通信システム。
【請求項３】
前記音声サーバーは、ネットワーク通信モジュール、公衆交換電話網通信モジュール、デジタル／アナログ転換モジュール、カメラ、マイクロプロセッサー、汎用入出力モジュール、電源管理モジュールを有し、
前記ネットワーク通信モジュールにより、インターネットに連接し、
前記公衆交換電話網通信モジュールにより、公衆交換電話網に連接し、
前記デジタル／アナログ転換モジュールにより、デジタル／アナログ信号を相互転換し、
前記カメラは、画像を撮影し、
前記マイクロプロセッサーは、各モジュールの信号を処理し、
前記汎用入出力モジュールにより、異なる入出力装置を連接し、
前記電源管理モジュールは、前記音声サーバーの電源使用を管理し、
前記音声サーバーは、建築物の出入玄関ドアのドアロックスイッチに連接し、前記ドアロックスイッチをコントロールし、訪問客が、前記建築物に入り、その中の一フロアの住民を訪問しようとする際には、前記音声サーバーを用いて、前記フロアの住民と連絡し、前記音声サーバーの前記カメラは前記訪問客の画像を撮影でき、前記住民は、前記携帯電話端末の無線通信モジュールを用いて、前記フロアに設置され対応するルーターに連接し、前記アプリケーションプログラムを用いて前記訪問客の身分を確認し、前記アプリケーションプログラムを通して、前記ルーター及び前記音声サーバーを経由し、前記建築物の出入玄関ドアのドアロックスイッチを開き、こうして訪問客は前記建築物に入ることを特徴とする請求項１に記載の建築物内通信システム。
【請求項４】
前記ネットワーク通信モジュールは、ＷＩＦＩ（登録商標）ネットワーク通信モジュール或いはＲＪ４５ネットワーク通信モジュールであることを特徴とする請求項３に記載の建築物内通信システム。
【請求項５】
前記音声サーバーは、公衆交換電話網に連接でき、前記携帯電話端末の無線通信モジュールが、前記フロアに設置されるルーターに連接できない場合には、前記音声サーバーは、前記公衆交換電話網を通して前記住民の携帯電話端末に連接し、前記住民は、前記携帯電話端末を用いて前記訪問客の身分を確認し、前記アプリケーションプログラムを通して、前記音声サーバーを経由し、前記建築物の出入玄関ドアのドアロックスイッチを開き、こうして訪問客は前記建築物に入ることを特徴とする請求項３に記載の建築物内通信システム。
【請求項６】
前記音声サーバーのネットワーク通信モジュールは、前記インターネットを通して３Ｇ（登録商標）、４Ｇ（登録商標）、５Ｇ通信ネットワークに連接し、
前記携帯電話端末の無線通信モジュールが、前記フロアに設置されるルーターに連接できない場合には、前記音声サーバーは、前記３Ｇ（登録商標）、４Ｇ（登録商標）、５Ｇ通信ネットワークを通して、前記住民の携帯電話端末に連接し、
前記住民は、前記携帯電話端末を用いて前記訪問客の身分を確認し、前記アプリケーションプログラムを通して、前記音声サーバーを経由し、前記建築物の出入玄関ドアのドアロックスイッチを開き、こうして訪問客は前記建築物に入ることを特徴とする請求項１に記載の建築物内通信システム。
【考案の詳細な説明】
【技術分野】
【０００１】
本考案は通信システムに関し、特に携帯電話端末を通してネットワークを経由し訪問客の身分を確認し、建築物の玄関ドアを開ける建築物内通信システムに関する。
【背景技術】
【０００２】
集合住宅では、出入り管理の目的のため、しばしば出入りインターホンシステムが設置される。
従来の集合住宅出入りインターホンシステムの模式図である図１に示す通り、従来の集合住宅出入りインターホンシステムは、インターホン親機１１、複数のインターホン１４を有する。
インターホン親機１１は、集合住宅１２の一階に設置され、集合住宅１２出入玄関ドア１３と電気的に連接し、該出入玄関ドア１３のスイッチをコントロールする。
複数のインターホン１４は、二階から八階までなど、集合住宅１２の異なるフロアにそれぞれ設置される。
インターホン親機１１と複数のインターホン１４は、回路１５により電気的に連接される。
【０００３】
訪問客が集合住宅の中の一フロアの住民を訪問しようとする際には、インターホン親機１１を使用し、そのフロアに対応するインターホン１４を呼び出す。
そのフロアの住民は、そのフロアのインターホン１４を使用し、訪問客の身分を確認し、該フロアのインターホン１４を用い、インターホン親機１１を経由して、該集合住宅１２の出入玄関ドア１３を開き、こうして訪問客は集合住宅１２に入ることができる。
【０００４】
しかし、時間の経過とテクノロジーの進歩に従い、上述の従来技術が構成する集合住宅出入りインターホンシステムは、システムの老朽化、配線の劣化荒廃、交換可能なパーツがないという問題に直面しているが、出入りシステムが効果を失えば、集合住宅の安全に重大な影響がある。
【考案の概要】
【考案が解決しようとする課題】
【０００５】
本考案の目的は、建築物内通信システムを提供することにある。
【課題を解決するための手段】
【０００６】
本考案による建築物内通信システムは、音声サーバー、複数のルーター、少なくとも１個の携帯電話端末を有する。
該音声サーバーは、該建築物出入玄関ドア所在のフロアに設置され、該出入玄関ドアのドアロックスイッチに電気的に連接され、該ドアロックスイッチをコントロールする。
該音声サーバーは、ネットワーク通信モジュールを有し、インターネットに連接する。
該複数のルーターは、該建築物の他の異なるフロアにそれぞれ設置され、該インターネットにそれぞれ連接される。
該少なくとも１個の携帯電話端末は、無線通信モジュール及びアプリケーションプログラム（ＡＰＰ）を有し、該無線通信モジュールは、該フロアのルーターに連接される。
訪問客が、該建築物に入り、その中のフロアの住民を訪問しようとする際には、該音声サーバーを用いて、該フロアの住民と連絡し、該住民は、該携帯電話端末の無線通信モジュールを用いて、該フロアに設置したルーターに連接し、該アプリケーションプログラム（ＡＰＰ）を用いて該訪問客の身分を確認し、該アプリケーションプログラム（ＡＰＰ）を通して、該ルーター及び該音声サーバーを経由し、該建築物の出入玄関ドアを開き、こうして訪問客は該建築物に入ることができる。
【考案の効果】
【０００７】
本考案による建築物内通信システムは、携帯電話端末を通して訪問客の身分を確認し、建築物の出入玄関ドアをコントロールできるため、従来の集合住宅出入りインターホンシステムに完全に置換できる。
こうして、従来の集合住宅出入りインターホンシステムのシステムの老朽化、配線の劣化荒廃、交換可能なパーツがないなどの欠点を解決でき、しかも無線通信技術を使用するため、施工が容易で、設置コストを大幅に引き下げられ、使用において非常に便利で、極めて高い創造性と実用性を備えている。
【図面の簡単な説明】
【０００８】
【図１】従来の集合住宅出入りインターホンシステムの模式図である。
【図２】本考案による建築物内通信システムの構成模式図である。
【図３】本考案による建築物内通信システムの音声サーバーのシステム構成模式図である。
【図４】本考案による建築物内通信システムの一実施形態の模式図である。
【考案を実施するための形態】
【０００９】
（一実施形態）
本考案による建築物内通信システムの構成模式図である図２に示す通り、本考案の建築物内通信システムは、音声サーバー２１、複数のルーター２５、少なくとも１個の携帯電話端末２６を有する。
音声サーバー２１は、建築物２２出入玄関ドア２３所在のフロア（一階など）に設置され、出入玄関ドアのドアロックスイッチに電気的に連接され、ドアロックスイッチをコントロールする。
音声サーバー２１は、ネットワーク通信モジュール（図３参照）を有し、インターネット２４に連接する。
複数のルーター２５は、建築物の他の異なるフロア（二階から八階など）にそれぞれ設置され、インターネット２４にそれぞれ連接される。
少なくとも１個の携帯電話端末２６は、無線通信モジュール２６１及びアプリケーションプログラム（ＡＰＰ）２６２を有する。
無線通信モジュール２６１は、フロアのルーター２５に連接される。
訪問客が、建築物２２に入り、その中の一フロアの住民を訪問しようとする際には、音声サーバー２１を用いて、フロアの住民と連絡し、住民は、携帯電話端末２６の無線通信モジュール２６１を用いて、フロアに設置されるルーター２５に連接し、アプリケーションプログラム（ＡＰＰ）２６２を用いて訪問客の身分を確認し、アプリケーションプログラム（ＡＰＰ）２６２を通して、ルーター２５及び音声サーバー２１を経由し、建築物の出入玄関ドア２３を開き、こうして訪問客は建築物に入ることができる。
【００１０】
図２に示す通り、音声サーバー２１は、公衆交換電話網（Ｐｕｂｌｉｃ  Ｓｗｉｔｃｈｅｄ  Ｔｅｌｅｐｈｏｎｅ  Ｎｅｔｗｏｒｋ／ＰＳＴＮ）に連接可能である。
訪問客が、建築物２２に入り、その中の一フロアの住民を訪問しようとする際に、携帯電話端末２６の無線通信モジュール２６１が、フロアに設置されるルーター２５に連接できない場合には、音声サーバー２１は、公衆交換電話網（ＰＳＴＮ）を通して、住民の携帯電話端末２６に連接する。
住民は、携帯電話端末２６を用いて訪問客の身分を確認し、アプリケーションプログラム（ＡＰＰ）２６２を通して、音声サーバー２１を経由し、建築物の出入玄関ドア２３を開き、こうして訪問客は建築物に入ることができる。
【００１１】
本考案による建築物内通信システムの音声サーバーのシステム  構成模式図である図３に示す通り、本考案の建築物内通信システムの音声サーバー３１は、ネットワーク通信モジュール３１１、公衆交換電話網（Ｐｕｂｌｉｃ  Ｓｗｉｔｃｈｅｄ  Ｔｅｌｅｐｈｏｎｅ  Ｎｅｔｗｏｒｋ／ＰＳＴＮ）通信モジュール３１２、デジタル／アナログ転換モジュール３１３、カメラ３１４、マイクロプロセッサー３１５、汎用入出力モジュール（Ｇｅｎｅｒａｌ-ｐｕｒｐｏｓｅ  ｉｎｐｕｔ／ｏｕｔｐｕｔ；ＧＰＩＯ）３１６、電源管理モジュール３１７を有する。
ネットワーク通信モジュール３１１により、インターネット３２に連接し、ネットワーク通信モジュール３１１は、ＷＩＦＩ（登録商標）ネットワーク通信モジュール或いはＲＪ４５ネットワーク通信モジュールである。
公衆交換電話網（Ｐｕｂｌｉｃ  Ｓｗｉｔｃｈｅｄ  Ｔｅｌｅｐｈｏｎｅ  Ｎｅｔｗｏｒｋ／ＰＳＴＮ）通信モジュール３１２により、公衆交換電話網（ＰＳＴＮ）３６に連接する。
デジタル／アナログ転換モジュール３１３は、デジタル／アナログ信号を相互に転換する。
カメラ３１４は、画像を撮影する。
マイクロプロセッサー３１５は、各モジュールの信号を処理する。
汎用入出力モジュール（Ｇｅｎｅｒａｌ-ｐｕｒｐｏｓｅ  ｉｎｐｕｔ／ｏｕｔｐｕｔ；ＧＰＩＯ）３１６により、異なる入出力装置を連接する。
電源管理モジュール３１７は、音声サーバー３１の電源使用を管理する。
【００１２】
音声サーバー３１は、建築物（図２では２２）の出入玄関ドアのドアロックスイッチ３４に連接し、ドアロックスイッチ３４をコントロールする。
音声サーバー３１は、電話機３５に連接し、電話通信に使用する。
【００１３】
訪問客が建築物（図２では２２）に入り、その中の一フロアの住民を訪問しようとする際には、一階に設置される音声サーバー３１を使用し、フロアの住民と連絡する。
音声サーバー３１のカメラ３１４は、訪問客の画像を撮影でき、住民は携帯電話端末３３（図２では２６）の無線通信モジュール３３１（図２では２６１）を使用し、フロアに設置されるルーター（図２では２５）に連接し、アプリケーションプログラム（ＡＰＰ）３３２（図２では２６２）を使用し、訪問客の身分を確認する。
アプリケーションプログラム（ＡＰＰ）３３２（図２では２６２）を通して、ルーター（図２では２５）及び音声サーバー３１を経由して、建築物（図２では２２）の出入玄関ドア（図２では２３）を開く。
こうして、訪問客は建築物に入ることができる。
【００１４】
図３に示す通り、音声サーバー３１は、公衆交換電話網（ＰＳＴＮ）３６に連接できる。
訪問客が建築物（図２では２２）に入り、その中の一フロアの住民を訪問しようとする際に、携帯電話端末３３の無線通信モジュール（図２では２６１）がフロアに設置されるルーター（図２では２５）に連接できない場合には、音声サーバー３１は、公衆交換電話網（ＰＳＴＮ）３６を通して、住民の携帯電話端末３３に連接する。
住民は、携帯電話端末３３を用いて訪問客の身分を確認し、アプリケーションプログラム（ＡＰＰ）３３２を通して、音声サーバー３１を経由して、建築物の出入玄関ドアのドアロックスイッチ３４を開く。
こうして、訪問客は建築物（図２では２２）に入ることができる。
【００１５】
本考案による建築物内通信システムの一実施形態の模式図である図４に示す通り、本考案の建築物内通信システムは、音声サーバー４１を有する。
音声サーバー４１は、建築物４２出入玄関ドア４３所在のフロア（一階など）に設置され、出入玄関ドアのドアロックスイッチに電気的に連接され、ドアロックスイッチをコントロールする。
音声サーバー４１は、ネットワーク通信モジュール（図３では３１）を有し、インターネット４４に連接する。
訪問客が建築物４２に入り、その中の一フロアの住民を訪問しようとする際に、住民は不在だが、訪問客に、建築物４２内で待ってもらおうとする場合には、音声サーバー４１は、インターネット４４を通して、３Ｇ（登録商標）、４Ｇ（登録商標）、５Ｇ通信ネットワーク４５に連接し、３Ｇ（登録商標）、４Ｇ（登録商標）、５Ｇ通信ネットワーク４５を通して、住民の携帯電話端末４６に連接する。
住民は、携帯電話端末４６を用いて訪問客の身分を確認し、アプリケーションプログラム（ＡＰＰ）４６１を通して、音声サーバー４１を経由して、建築物の出入玄関ドア４３を開ける。
こうして、訪問客は建築物４２に入ることができる。
【００１６】
図４に示す通り、音声サーバー４１は、公衆交換電話網（ＰＳＴＮ）４７に連接できる。
訪問客が建築物４２に入り、その中の一フロアの住民を訪問しようとする際に、携帯電話端末４６の無線通信モジュール（図２では２６１）がフロアに設置されるルーター（図２では２５）に連接できない場合には、音声サーバー４１は、公衆交換電話網（ＰＳＴＮ）４７を通して、住民の携帯電話端末４６に連接する。
住民は、携帯電話端末４６を用いて訪問客の身分を確認し、アプリケーションプログラム（ＡＰＰ）４６１を通して、音声サーバー４１を経由して建築物の出入玄関ドア４３を開ける。
こうして、訪問客は建築物に入ることができる。
【符号の説明】
【００１７】
１１  インターホン親機
１２  集合住宅
１３  出入玄関ドア
１４  インターホン
１５  回路
２１  音声サーバー
２２  建築物
２３  出入玄関ドア
２４  インターネット
２５  ルーター
２６  携帯電話端末
２６１  無線通信モジュール
２６２  アプリケーションプログラム（ＡＰＰ）
２７  公衆交換電話網（ＰＳＴＮ）
３１  音声サーバー
３１１  ネットワーク通信モジュール
３１２  公衆交換電話網（ＰＳＴＮ）通信モジュール
３１３  デジタル／アナログ転換モジュール
３１４  カメラ
３１５  マイクロプロセッサー
３１６  汎用入出力モジュール（ＧＰＩＯ）
３１７  電源管理モジュール
３２  インターネット
３３  携帯電話端末
３３１  無線通信モジュール
３３２  アプリケーションプログラム（ＡＰＰ）
３４  ドアロックスイッチ
３５  電話機
３６  公衆交換電話網（ＰＳＴＮ）
４１  音声サーバー
４２  建築物
４３  出入玄関ドア
４４  インターネット
４５  ３Ｇ（登録商標）、４Ｇ（登録商標）、５Ｇ通信ネットワーク
４６  携帯電話端末
４６１  アプリケーションプログラム（ＡＰＰ）
４７  公衆交換電話網（ＰＳＴＮ）
【図１】
0003210127.tif 000003
【図２】
0003210127.tif 000004
【図３】
0003210127.tif 000005
【図４】
0003210127.tif 000006